(57)【要約】【課題】  マドラー類を蓋に一体に取り付けることができ、また飲食時には容器本体から取り外した蓋にマドラー類を保持することができるようにする。【解決手段】上側が開口したカップ状容器本体２と、カップ状容器本体２の開口部を閉止する蓋３とを有する食品容器１であって、蓋３の上面には中央に嵌合凹溝７を有する凸部６が所定間隔をあけて複数設けられ、且つ各凸部６の嵌合凹溝７同士が互いに同方向に形成されており、これら凸部６の嵌合凹溝７にマドラー９の柄部９ａが嵌め込み自在となされており、また蓋３の縁部にはマドラー９を保持する凹部５が形成されている。【選択図】  図１
2011136749.tif 000002
【特許請求の範囲】
【請求項１】
上側が開口したカップ状容器本体と、カップ状容器本体の開口部を閉止する蓋とを有する食品容器であって、蓋の上面には中央に嵌合凹溝を有する凸部が所定間隔をあけて複数設けられ、且つ各凸部の嵌合凹溝同士が互いに同方向に形成されており、これら凸部の嵌合凹溝にマドラー類の柄部が嵌め込み自在となされている、食品容器。
【請求項２】
凸部が蓋の上面に所定間隔をあけて二箇所設けられた、請求項１記載の食品容器。
【請求項３】
凸部が略半球状となされた、請求項１または請求項２記載の食品容器。
【請求項４】
蓋の縁部にマドラー類の柄部を嵌め入れる凹部が形成され、各凸部は蓋における前記凹部側寄り部分に形成された、請求項１〜請求項３のうちのいずれか一項記載の食品容器。
【請求項５】
蓋の縁部における隣り合う二箇所に延長部が設けられ、両延長部間が前記凹部となされている、請求項４記載の食品容器。
【発明の詳細な説明】
【技術分野】
【０００１】
本発明は、テイクアウト等において、コーヒー、紅茶およびミルクセーキ等の飲料、或いはヨーグルト等の食品を飲食するのに用いられる食品容器に関する。
【背景技術】
【０００２】
近年、大手外食チェーン店を中心として、アイスクリーム、クレープ、コーヒーおよび紅茶等の多岐にわたる飲食物がテイクアウトで提供されている。そして、これら飲食物を収容する容器としては、トレー、プレート、カップおよびボックス等、種々のものが用いられている。
【先行技術文献】
【特許文献】
【０００３】
【特許文献１】特開２００４−１６８３８３号公報
【特許文献２】特開２００７−２８９２５８号公報
【特許文献３】実用新案登録第３００２２８２号公報
【発明の概要】
【発明が解決しようとする課題】
【０００４】
通常、お店からテイクアウトで飲食物を購入した場合、店舗周辺の場所で立ち食いしたり、歩き食いしたりすることが多いが、購入した食品は、食べ物と飲み物或いは流動物といった二種類以上であることが一般的である。この場合、飲食者は、一方の手に飲み物を持ち、もう一方の手に食べ物を持ってこれらを食することとなるため、飲食途中で一方の食品を地面に落としたり、或いは飲み物をこぼして衣服を汚すことも多かった。
【０００５】
また、蓋付きのカップでコーヒーや紅茶を飲む場合、通常、飲料をかき混ぜるためのマドラーも販売者から渡されるが、この際、一方の手にカップを持ち、もう一方の手にマドラーを持つ必要があることから、コーヒーや紅茶と一緒に食するハンバーガー等の他の食品を持つことができず、他の食品を持とうとすると、片方の手にカップとマドラーの両方を持たなければならず、この際、誤ってマドラーを地面に落してしまうこともあった。
【０００６】
このような不都合を解消するために、蓋の一部に小孔をあけ、該小孔にマドラーを差し込んで蓋に一体に固定するようにした飲料容器も開発されているが、該容器の場合、マドラーを蓋に完全に差し込まないと、蓋の小孔から飲料がこぼれてしまう他、マドラーの大部分が容器本体に浸漬されるため、マドラーを容器本体から抜いた際、該マドラーが飲料で濡れており、また該飲料がマドラーから滴り落ちるといった不都合もあった。
【０００７】
更にまた、容器本体の開口を閉止する蓋全体にスプーンが嵌め込まれる凹部を設け、該凹部に前期スプーンを嵌め込み自在とした容器も知られているが、該容器の場合、蓋全体に凹部を形成する構造が複雑であり、また凹部にスプーンを嵌め込むのに彼此手間を要し、更に製造コストもかかる等、種々の不都合があった。
【０００８】
本発明の目的は、マドラー等を蓋に容易に固定することができ、また飲料等の漏出のおそれ等もない食品容器を提供することにある。
【課題を解決するための手段】
【０００９】
請求項１記載の本発明は、上側が開口したカップ状容器本体と、カップ状容器本体の開口部を閉止する蓋とを有する食品容器であって、蓋の上面には中央に嵌合凹溝を有する凸部が所定間隔をあけて複数設けられ、且つ各凸部の嵌合凹溝同士が互いに同方向に形成されており、これら凸部の嵌合凹溝にマドラー類の柄部が嵌め込み自在となされている食品容器である。
【００１０】
なお、本願において、マドラー類とは、カップ状容器本体に収容される飲料や食品を飲食するのに用いる道具類全般を指し、マドラーの他、スプーン、フォークおよびストロー等が例示される。
【００１１】
請求項２記載の本発明は、前記請求項１記載の食品容器について、凸部が蓋の上面に所定間隔をあけて二箇所設けられていることを特徴とするものである。
【００１２】
請求項３記載の本発明は、前記請求項１または請求項２記載の食品容器について、凸部が略半球状となされていることを特徴とするものである。
【００１３】
請求項４記載の本発明は、前記請求項１〜請求項３のうちのいずれか一項記載の食品容器について、蓋の縁部にマドラー類の柄部を嵌め入れる凹部が形成され、各凸部は蓋における前記凹部側寄り部分に形成されていることを特徴とするものである。
【００１４】
請求項５記載の本発明は、前記請求項４記載の食品容器について、蓋の縁部における隣り合う二箇所に延長部が設けられ、両延長部間が前記凹部となされていることを特徴とするものである。
【発明の効果】
【００１５】
本発明の食品容器によれば、蓋の少なくとも二箇所に設けられた凸部における互いに平行な嵌合凹溝にマドラー類の柄部を嵌め入れるだけで、該マドラー類を蓋に簡単に固定することができるため、片手でマドラー類とカップ状容器本体を容易且つ確実に持つことができる。そのため、もう一方の手にサンドイッチやハンバーガーといった他の食品を容易に持つことができ、またマドラー類は前述したようにカップ状容器本体に固定されているため、地面に落とすおそれもない。
【００１６】
更に、本発明では、前述したように、蓋の少なくとも二箇所に凸部を設け、各凸部に嵌合凹溝を形成するという簡単な構造であるため、従来のように、製造コストがかかることもなく、しかも容易にマドラー類を蓋に固定することができるという格別の利点を有する。
【００１７】
また、本発明におけるマドラー類の蓋への取り付け構造は、従来のように、蓋に小孔をあけて、該小孔にマドラーを差し込むような構造でないため、蓋の小孔から容器本体に収容された飲料がこぼれることもなく、しかも蓋からマドラーを取り外した際に該マドラーが飲料で濡れているといった不都合もない。
【００１８】
更に、蓋の縁部に凹部を設けた本発明に係る食品容器によれば、容器本体から蓋を取り外し、該蓋をその縁部が上側になるようにテーブル等に置き、蓋の縁部における凹部にマドラー類の柄部を入れるだけで該マドラーを保持することができるため、マドラーをテーブル上に直接置く場合に比べて衛生的であり、またテーブル上面を汚すこともない。しかも本発明では、蓋における前記凸部が縁部の凹部側寄り部分に設けられているため、蓋の凹部が形成された側はその反対側より高くなり、これによって凹部にマドラー類を安定に保持し得るという利点もある。
【００１９】
また、前記凹部が蓋の縁部における隣り合う延長部間に形成された本発明の食品容器によれば、前記凹部が更に上方に位置することとなるため、マドラー類を更に安定的に保持することができる。
【００２０】
更に、蓋上面の凸部を略半球状とした本発明によれば、その嵌合凹溝にマドラー類を更にスムーズに嵌め入れることができるという利点がある。
【図面の簡単な説明】
【００２１】
【図１】本発明の実施形態に係る食品容器の斜視図である。
【図２】実施形態に係る食品容器における蓋の斜視図である。
【発明を実施するための形態】
【００２２】
次に、本発明の実施形態を図面にしたがって説明するが、本発明はかかる実施形態に限定されるものではない。
【００２３】
図１および図２に示すように、本実施形態に係る食品容器１は、上側は開口したカップ状容器本体２と、カップ状容器本体２の開口を閉止する蓋３とで構成されている。
【００２４】
そして、図１に示すように、蓋３は容器本体２の上縁に嵌め被せるための下向き鍔状縁部３ａを有し、該縁部３ａにおける隣り合う二箇所に延長部４が形成され、これら延長部４間が凹部５となされている。
【００２５】
また、蓋３はその周縁寄り部分から上方へ膨出した膨出部３ｂを有し、膨出部３ｂの周縁部３ｃを残してその内側部分が若干窪んだ窪み部３ｄとなされている。そして、蓋３における前記周縁部３ｃには所定間隔をあけて二つの略半球状凸部６が設けられ、両凸部６には互いに平行な嵌合凹溝７が形成され、これら嵌合凹溝７にマドラー９の柄部９ａが嵌め入れられるようになされている。また、凸部６は蓋３の縁部３ａにおける前記凹部５寄り部分に設けられている。
【００２６】
なお、図中８は蓋３に形成された飲み口を示す。
【００２７】
次に、本実施形態に係る食品容器１の使用要領について説明すると、例えば、本容器１にコーヒーが入れられている場合において、この容器１を持ち運ぶ場合には、図１に示すように、コーヒーが入れられた容器本体２の上部開口に蓋３を装着した上、蓋３における二つの凸部６の嵌合凹溝７にマドラー９の柄部９ａを嵌め込むだけで該マドラー９を蓋３に固定することができる。
【００２８】
次に、コーヒーを飲むにあたっては、蓋３を容器本体２から取り外すと共に、該蓋３からマドラー９を取り外し、必要に応じて、容器本体２内のコーヒーに砂糖やミルクを入れた後、マドラー９で容器本体２内のコーヒーをかき混ぜる。その後、図２に示すように、縁部３ａを上側にしてテーブル上等に置いた蓋３における凹部５にマドラー９の柄部９ａを嵌め入れることでマドラー９を蓋３に保持することができる。この場合、蓋３における両凸部６によって、蓋３は凹部５側が高くなっており、これによりマドラー９がより安定に保持される。
【産業上の利用可能性】
【００２９】
本発明の食品容器によれば、マドラー類を蓋に容易に固定することができ、また飲食時にはマドラー類を蓋に保持することもできるため、特にテイクアウトを行っている外食チェーンやデリバリーを展開する食品チェーン等において幅広い利用が期待できる。
【符号の説明】
【００３０】
１  食品容器
２  カップ状容器本体
３  蓋
４  延長部
５  凹部
６  凸部
７  嵌合凹溝
９  マドラー
【図１】
2011136749.tif 000003
【図２】
2011136749.tif 000004